(57)【要約】【課題】  バンパフェイシャの厚肉部を利用してタッピングスクリューによりライセンスプレートを取付可能として製造コストを低減した上で、タッピングスクリューの取外し・再締付けに伴って厚肉部を利用したライセンスプレート取付が不可能になった場合であっても、バンパフェイシャ全体を交換することなくライセンスプレートを取付けることができる車両用バンパのライセンスプレート取付構造を提供する。【解決手段】  バンパフェイシャ１の厚肉部８にタッピングスクリューを螺合させてライセンスプレート３を取付けると共に、厚肉部８を利用したライセンスプレート取付が不可能になった場合には、バンパフェイシャ１の裏面側に支持金具２１を固定して、支持金具２１により支持したナット２４ｂを利用してライセンスプレート３をボルト２３により取付け、バンパフェイシャ１全体の交換を不要とする。【選択図】      図６
2005075126.tif 000002
【特許請求の範囲】
【請求項１】
ライセンスプレートの取付用の透孔に対応して合成樹脂製のバンパフェイシャに厚肉部を形成し、該厚肉部にタッピングスクリューを螺合させて上記バンパフェイシャの表面側にライセンスプレートを取付可能とし、上記バンパフェイシャの上記ライセンスプレートにより隠蔽される領域内に、上記厚肉部の裏面側でナットを支持するための支持部材を固定し得る固定部材挿入用孔を貫設したことを特徴とする車両用バンパのライセンスプレート取付構造。
【請求項２】
ライセンスプレートの取付用の透孔に対応して合成樹脂製のバンパフェイシャに厚肉部を形成し、該厚肉部にタッピングスクリューを螺合させて上記バンパフェイシャの表面側にライセンスプレートを取付可能とする一方、該バンパフェイシャの上記ライセンスプレートにより隠蔽される領域内に固定孔を貫設し、該固定孔を介して上記バンパフェイシャの裏面側に配設した支持部材を表面側から固定部材により固定すると共に、上記厚肉部に上記タッピングスクリューに代えてボルト孔が貫設されたときに該ボルト孔を介して表面側よりねじ部材を螺合可能なように、上記支持部材により上記厚肉部に対応する位置にナットを支持したことを特徴とする車両用バンパのライセンスプレート取付構造。
【請求項３】
上記バンパフェイシャの裏面側に、上記厚肉部に対して上記ナットを対応させた正規位置で上記支持部材を保持する係合突起を一体形成したことを特徴とする請求項１又は２記載の車両用バンパのライセンスプレート取付構造。
【発明の詳細な説明】
【技術分野】
【０００１】
本発明は車両用バンパのライセンスプレート取付構造に関するものである。
【背景技術】
【０００２】
車両用バンパに対してライセンスプレートを取付けるための取付構造として種々のものが提案されている（例えば、特許文献１参照）。当該特許文献１に記載されたライセンスプレート取付構造では、バンパフェイシャの裏面側にリブを一体形成して、このリブにリテーナの爪を係合させることでリテーナを固定し、リテーナに設けたナットを利用してバンパフェイシャの表面側にライセンスプレートをボルト締めしている。
【０００３】
しかしながら、上記ライセンスプレートの取付構造では、別部材としてナットを備えたリテーナが必要なため、製造コストの面で不利であった。
そこで、例えば図７に示すように、バンパフェイシャ１０１に部分的な厚肉部１０２を形成し、この厚肉部１０２に直接的にタッピングスクリュー１０３を螺合させてライセンスプレート１０４を固定する取付構造が実施されている。
【特許文献１】特開平１１−２１７０５２号公報（図５）
【発明の開示】
【発明が解決しようとする課題】
【０００４】
上記タッピングスクリュー１０３を用いたライセンスプレート１０４の取付構造では、バンパフェイシャ１０１の厚肉部１０２が上記特許文献１に記載されたリテーナのナットの役割を果たすため、リテーナが不要となって製造コストの面では有利であるものの、耐久性の面で問題があった。
即ち、車両のバンパ部分を補修する際にはライセンスプレート１０４を一時的に取外す場合があり、又、車両所有者の変更に伴って別のライセンスプレート１０４に交換する場合もあるが、その度にタッピングスクリュー１０３はバンパフェイシャ１０１の厚肉部１０２に対して取外し・再締付けされる。樹脂製の厚肉部１０２は次第に拡径してタッピングスクリュー１０３に対する弾性力を失うことから、このような取外し・再締付けが繰り返される場合には最終的にライセンスプレート１０４を取付不能になってしまい、バンパフェイシャ１０１全体の交換が必要となって使用者に経済的な負担を強いてしまうという問題があった。
【０００５】
本発明の目的は、バンパフェイシャの厚肉部を利用してタッピングスクリューによりライセンスプレートを取付可能として製造コストを低減した上で、タッピングスクリューの取外し・再締付けに伴って厚肉部を利用したライセンスプレート取付が不可能になった場合であっても、バンパフェイシャ全体を交換することなくライセンスプレートを取付けることができる車両用バンパのライセンスプレート取付構造を提供することにある。
【課題を解決するための手段】
【０００６】
上記目的を達成するため、請求項１の発明は、ライセンスプレートの取付用の透孔に対応して合成樹脂製のバンパフェイシャに厚肉部を形成し、厚肉部にタッピングスクリューを螺合させてバンパフェイシャの表面側にライセンスプレートを取付可能とし、バンパフェイシャのライセンスプレートにより隠蔽される領域内に、厚肉部の裏面側でナットを支持するための支持部材を固定し得る固定部材挿入用孔を貫設したものである。
【０００７】
従って、ライセンスプレートの透孔を介してバンパフェイシャの厚肉部に直接的にタッピングスクリューが螺合して、バンパフェイシャの表面側にライセンスプレートが取付けられる。結果として別部材を要することなく、最小限の部品点数によりライセンスプレートを取付可能となる。
一方、タッピングスクリューの取外し・再締付けに伴って厚肉部を利用したライセンスプレート取付が不可能になった場合には、バンパフェイシャに形成された固定孔を利用してバンパフェイシャの裏面側に支持部材を固定する。支持部材により支持されたナットが厚肉部の裏面側に位置することから、タッピングスクリューに代えて厚肉部にボルト孔を貫設すれば、このボルト孔を介してバンパフェイシャの表面側よりねじ部材を支持部材のナットに螺合させてライセンスプレートを取付けでき、バンパフェイシャ全体の交換が不要となる。
【０００８】
請求項２の発明は、ライセンスプレートの取付用の透孔に対応して合成樹脂製のバンパフェイシャに厚肉部を形成し、厚肉部にタッピングスクリューを螺合させてバンパフェイシャの表面側にライセンスプレートを取付可能とする一方、バンパフェイシャのライセンスプレートにより隠蔽される領域内に固定孔を貫設し、固定孔を介してバンパフェイシャの裏面側に配設した支持部材を表面側から固定部材により固定すると共に、厚肉部にタッピングスクリューに代えてボルト孔が貫設されたときにボルト孔を介して表面側よりねじ部材を螺合可能なように、支持部材により厚肉部に対応する位置にナットを支持したものである。
【０００９】
従って、ライセンスプレートの透孔を介してバンパフェイシャの厚肉部に直接的にタッピングスクリューが螺合して、バンパフェイシャの表面側にライセンスプレートが取付けられる。そして、このときの支持部材はライセンスプレートの取付に貢献しないため省略でき、結果として別部材を要することなく、最小限の部品点数によりライセンスプレートを取付可能となる。
【００１０】
一方、バンパフェイシャの厚肉部には支持部材により支持されたナットが対応しており、タッピングスクリューに代えて厚肉部にボルト孔が貫設されると、このボルト孔を介して表面側よりナットにねじ部材を螺合可能となる。従って、タッピングスクリューの取外し・再締付けに伴って厚肉部を利用したライセンスプレート取付が不可能になった場合には厚肉部にボルト孔を貫設し、表面側よりボルト孔を介してねじ部材をナットに螺合させてライセンスプレートを取付けでき、バンパフェイシャ全体の交換が不要となる。
【００１１】
請求項３の発明は、請求項１又は２において、バンパフェイシャの裏面側に、厚肉部に対してナットを対応させた正規位置で支持部材を保持する係合突起を一体形成したものである。
従って、バンパフェイシャの裏面側に支持部材を固定する際には、バンパフェイシャの係合突起により支持部材は自ずと正規位置に位置決めされると共に、その正規位置からの位置ずれが防止されることから、容易に支持部材を固定可能となる。
【発明の効果】
【００１２】
以上説明したように請求項１，２の発明の車両用バンパのライセンスプレート取付構造によれば、バンパフェイシャの厚肉部を利用してタッピングスクリューによりライセンスプレートを取付可能として製造コストを低減した上で、タッピングスクリューの取外し・再締付けに伴って厚肉部を利用したライセンスプレート取付が不可能になった場合であっても、バンパフェイシャ全体を交換することなくライセンスプレートを取付けることができる。
【００１３】
請求項３の発明の車両用バンパのライセンスプレート取付構造によれば、請求項１，２に加えて、バンパフェイシャの裏面側に支持部材を容易に正規位置に固定でき、もって、厚肉部を利用したライセンスプレート取付が不可能になった場合のライセンスプレートの取付作業を簡略化することができる。
【発明を実施するための最良の形態】
【００１４】
以下、本発明を車両用のリアバンパに対するライセンスプレート取付構造に具体化した一実施形態を説明する。
図１は本実施形態のライセンスプレートの取付構造が適用されるリアバンパの斜視図、図２はタッピングスクリューによるライセンスプレートの固定状態をバンパフェイシャの裏面側より見た正面図、図３は同じくタッピングスクリューによるライセンスプレートの固定状態を示す図２のIII−III線断面図、図４は左右規制リブを示す図２のIV−IV線断面図である。
【００１５】
リアバンパのバンパフェイシャ１は所定形状に合成樹脂材料で一体形成されており、図示しないブラケットを介して車両のリアエンドパネルに装着されている。バンパフェイシャ１の表面側（車両を基準にした後側）において左右中央には略四角状をなすライセンス取付部２が凹設され、このライセンス取付部２上にライセンスプレート３が取付けられている。
【００１６】
ライセンスプレート３に形成された取付用の左右一対の透孔３ａと対応するように、ライセンス取付部２の上部には左右一対のタッピング固定部４が設けられると共に、両タッピング固定部４の近接位置には、後述する支持金具２１を固定するための金具固定部５がそれぞれ設けられている。左右のタッピング固定部４及び金具固定部５はライセンス取付部２上で左右対称に配置されており、以下、図中の左側（車両を基準にすると右側）のタッピング固定部４及び金具固定部５の構成を説明するが、右側（車両を基準にすると左側）も左右対称の同一構成となっている。
【００１７】
まず、上記タッピング固定部４を説明すると、バンパフェイシャ１のライセンス取付部２にはライセンスプレート３の透孔３ａと一致するようにタッピングスクリュー６用の下孔７が貫設され、この下孔７を中心としてバンパフェイシャの裏面側（車両を基準にした前側）に突出するように略四角状の厚肉部８が形成されている。厚肉部８は裏面側（支持部材２１側）に面する平坦な当接面８ａを備えている。
【００１８】
タッピング固定部４の下孔７にはライセンスプレート３の透孔３ａを介して表面側よりタッピングスクリュー６が螺合し、これによりライセンス取付部２にライセンスプレート３が取付けられている。下穴７の裏面には厚肉部８が形成されているため、タッピングスクリュー６は十分な螺合寸法をもってライセンスプレート３を固定している。
一方、金具固定部５の構成を説明すると、ライセンス取付部２の裏面側において、金具取付部５はタッピング固定部４から左斜め下方に向けて延びる中心線Ｌを基準として左右対称に構成されている。タッピング固定部４から中心線Ｌ上に沿って下方に離間した位置において、ライセンス取付部２にはビス孔１０（固定孔、固定部材挿入用孔）が貫設されている。このビス孔１０を中心としてライセンス取付部２は一定の厚みを維持したまま裏面側に凸となるように湾曲形成され、これによりライセンス取付部２の裏面側には略四角状をなす平坦な固定面１１が突出する一方、ライセンス取付部２の表面側には略四角状をなす逃げ部１２が凹設されている。
【００１９】
後述するビス２６の頭部を収容するために逃げ部１２は所定深さに形成され、その結果、裏面側の固定面１１は上記厚肉部８の当接面８ａより大きく突出している。尚、このように逃げ部１２はライセンス取付部２上に露出しているが、図３に示すようにライセンスプレート３の取付後には、当該ライセンスプレート３に隠蔽されて外部への露出が防止される。
【００２０】
固定面１１上の下部には下方規制リブ１３（係合突起）が一体的に突出形成され、この下方規制リブ１３は中心線Ｌに対して直交する平板状をなしている。又、タッピング固定部４の近接位置には、中心線Ｌを挟んで所定間隔をおいて一対の左右規制リブ１４（係合突起）が一体的に突出形成され、これらの左右規制リブ１４は中心線Ｌと平行な平板状をなしている。
【００２１】
又、バンパフェイシャ１のライセンス取付部２の略中央には四角状の操作窓１５が形成されており、車両にバンパフェイシャ１を取付けた状態であっても、作業者はこの操作窓１５に手を挿入して裏面側のタッピング固定部４や金具固定部５を容易に操作可能となっている。
本実施形態のライセンスプレート取付構造は、車両生産時には以上のように構成されており、ライセンス取付部２に形成された左右一対のタッピング固定部４を利用してタッピングスクリュー６によりライセンスプレート３を取付けている。そして、タッピングスクリュー６をバンパフェイシャ１に形成されたタッピング固定部４の厚肉部８に直接的に螺合させていることから、例えばナットを備えたリテーナが別部材として必要な特許文献１の技術等に比較して、部品点数を減少させて製造コストを低減することができる。
【００２２】
一方、バンパ部分の補修時や車両所有者の変更時等には、ライセンスプレート３の脱着に伴ってタッピングスクリュー６をタッピング固定部４の厚肉部８に対して取外し・再締付けするため、樹脂製の厚肉部８が次第に拡径して弾性力を失ってライセンスプレート３を取付不能となる場合がある。本実施形態のライセンスプレート取付構造では、このようなときに上記金具固定部５を利用して支持金具２１（支持部材）によりライセンスプレート３を固定しており、以下、その作業手順を説明する。
【００２３】
図５は支持金具２１によるライセンスプレート３の固定状態をバンパフェイシャ１の裏面側より見た正面図、図６は同じく支持金具２１によるライセンスプレート３の固定状態を示す図５のVI−VI線断面図である。
まず、左右のタッピングスクリュー６の螺合を解除してライセンスプレート３を取外し、タッピング固定部４の下孔７をドリルにより拡径してボルト孔２２を形成する。図６に示すように、ボルト孔２２の内径はタッピングスクリュー６に代えて用いるボルト２３（ねじ部材）の外径より若干大きく設定される。
【００２４】
次いで、支持金具２１をバンパフェイシャ１の操作窓１５から裏面側に挿入する。当該支持金具２１は、金属製の板材をプレスにより折曲形成したものであり、全体として長方形状をなして左右の長辺が剛性確保のために折曲される（図４に示す）と共に、上記タッピング固定部４の厚肉部８の当接面８ａと金具固定部５の固定面１１との段差を吸収するように中間部に屈曲部２１ａが形成されている。支持金具２１の上部にはボルト孔２４ａが貫設される一方、支持金具２１の下部にはビス孔２５ａが貫設され、これらのボルト孔２４ａ及びビス孔２５ａと対応するように支持金具２１の裏面側にはそれぞれナット２４ｂ，２５ｂが溶接されている。
【００２５】
作業者は上記中心線Ｌに沿って支持金具２１を配置し、支持金具２１の上部をタッピング固定部４の厚肉部８の当接面８ａ上に当接させると共に、支持金具２１の下部を金具固定部５の固定面１１上に当接させる。この状態において、支持金具２１のボルト孔２４ａはタッピング固定部４に新たに形成したボルト孔２２と一致すると共に、支持金具２１のビス孔２５ａは金具固定部５のビス孔１０と一致する。
【００２６】
このときの支持金具２１の下端縁は下方規制リブ１３と対応し、支持金具２１の左右両端縁は左右規制リブ１４と対応するため、支持金具２１は各規制リブ１３，１４により自ずと正規位置に位置決めされることになり、作業者が手探りで支持金具２１を位置決めする必要がない。
そして、このように金具固定部５の裏面側で支持金具２１を保持した状態のまま、表面側からライセンス取付部５のビス孔１０及び支持金具２１のビス孔２５ａを介してナット２５ｂにビス２６（固定部材）を螺合させると、支持金具２１はライセンス取付部２の裏面側に固定される。このときの支持金具２１は各規制リブ１３，１４により下方及び左右への移動を規制されて正規位置に保持され続けるため、作業者は支持金具２１の保持に注意を払うことなくビス２６の締付け操作に集中できると共に、ビス締付けに伴って支持金具２１に作用する回転力に対して左右規制リブ１４が抗することから、大きな保持力を要することなく容易に支持金具２１を固定できる。
【００２７】
次いで、ライセンス取付部２の表面側にライセンスプレート３を配置した上で、表面側よりライセンスプレート３の透孔３ａ、タッピング固定部４のボルト孔２２、及び支持金具２１のボルト孔２４ａを介してナット２４ｂにボルト２３を螺合させると、ライセンスプレート３はライセンス取付部２に取付けられる。図６に示すように、取付完了後のライセンスプレート３はライセンス取付部２に密着するが、支持金具２１を固定しているビス２６の頭部はライセンス取付部２の逃げ部１２内に位置するため、ライセンスプレート３と干渉して取付を妨害することは一切ない。
【００２８】
以上のように本実施形態のライセンスプレート取付構造では、タッピングスクリュー６の取外し・再締付けに伴ってタッピング固定部４の厚肉部８を利用したライセンスプレート取付が不可能になった場合であっても、既存のバンパフェイシャ１を利用してライセンス取付部２の裏面側に支持金具２１を固定するだけで、当該支持金具２１を用いてライセンスプレート３を取付けることができる。よって、バンパフェイシャ１全体の交換が不要となり、バンパフェイシャ１全体に比較して格段に安価な支持金具２１及びビス２６を追加するだけで対処可能であることから、使用者の経済的な負担を大幅に軽減することができる。
【００２９】
以上で実施形態の説明を終えるが、本発明の態様はこの実施形態に限定されるものではない。例えば上記実施形態では、リアバンパに対するライセンスプレート取付構造として具体化したが、リアバンパに代えてフロントバンパを対象としたライセンスプレート取付構造としてもよい。
又、上記実施形態では、金具固定部２１に下方及び左右規制リブ１３，１４を形成して支持金具２１を移動規制したが、例えば車両のリアエンドパネルとバンパフェイシャ１との間に比較的余裕がある場合等には、正規位置への支持金具２１の保持が容易になることから各規制リブ１３，１４を省略してもよい。
【００３０】
同様に、上記実施形態では、ライセンス取付部２に形成した操作窓１５を介して支持金具２１を固定したが、操作窓１５を省略してリアエンドパネルとバンパフェイシャ１との間隙に下方より手を挿入して支持金具２１を固定するようにしてもよい。即ち、ライセンス取付部２の上部のボルト孔２２には指先が届かなくても、より下方のビス孔１０付近には指先が届く場合もあり、この場合には下方から支持金具２１を挿入・固定できるため、操作窓１５が不要となるのである。
【００３１】
又、上記実施形態では、ビス２６により支持金具２１を固定したが、ライセンス取付部２のビス孔１０を利用して支持金具２１を固定可能なものであればビス２６やボルトに限ることはなく、例えばリベット（固定部材）等を用いて支持金具２１を固定するようにしてもよい。
更に、上記実施形態では、ライセンス取付部２の左右一対のタッピング固定部４に対応して個別に支持金具２１を設けたが、例えばバンパフェイシャ１の裏面側に単一の支持金具を固定し、この支持金具から各タッピング固定部４に対応するようにそれぞれナット２４ｂを支持してもよい。
【図面の簡単な説明】
【００３２】
【図１】実施形態のライセンスプレートの取付構造が適用されるリアバンパの斜視図である。
【図２】タッピングスクリューによるライセンスプレートの固定状態をバンパフェイシャの裏面側より見た正面図である。
【図３】同じくタッピングスクリューによるライセンスプレートの固定状態を示す図２のIII−III線断面図である。
【図４】左右規制リブを示す図２のIV−IV線断面図である。
【図５】支持金具によるライセンスプレートの固定状態をバンパフェイシャの裏面側より見た正面図である。
【図６】同じく支持金具によるライセンスプレートの固定状態を示す図５のVI−VI線断面図である。
【図７】バンパフェイシャの厚肉部に直接的にタッピングスクリューを螺合させる先行技術のライセンスプレートの取付構造を示す断面図である。
【符号の説明】
【００３３】
１      バンパフェイシャ
３      ライセンスプレート
３ａ    透孔
６      タッピングスクリュー
８      厚肉部
１０    ビス孔（固定孔、固定部材挿入用孔）
１３    下方規制リブ（係合突起）
１４    左右方規制リブ（係合突起）
２１    支持金具（支持部材）
２３    ボルト（ねじ部材）
２４ｂ  ナット
２６    ビス（固定部材）
【図１】
2005075126.tif 000003
【図２】
2005075126.tif 000004
【図３】
2005075126.tif 000005
【図４】
2005075126.tif 000006
【図５】
2005075126.tif 000007
【図６】
2005075126.tif 000008
【図７】
2005075126.tif 000009